(57)【要約】【課題】【解決手段】無線通信システムにおいて、移動局を認証する方法がクレイムされる。第１のＣＨＡＰチャレンジメッセージ（５２８）が送信される。前記第１のＣＨＡＰメッセージに応答して第１のＣＨＡＰ応答メッセージが受信される。前記受信したＣＨＡＰメッセージに対応するＩＭＳＩメッセージ（５４８）が送信される。前記送信されたＩＭＳＩメッセージに応答して複数のパラメータ（５５２）が受信される。そして、少なくとも１つのパラメータ（５５６）が送信される。前記送信されたパラメータに応答して第２のＣＨＡＰ応答メッセージ（５７２）が受信される。そして、前記第２のＣＨＡＰ応答メッセージが、前記複数のパラメータのうちの１つと比較される（５７６）。
2005523670.tif 000002
【特許請求の範囲】
【請求項１】
第１の通信システムから、第２の、異なる通信システムにおける対応するメッセージへの情報を認証する方法であって、各通信システムは、対応するコアネットワークを有しており、前記方法は、
前記第１の通信システムによって必要とされるフォーマットの認証情報を受信することと、
前記第１の通信システムで必要とされるフォーマットからの認証情報を、前記第２の通信システムによって必要とされるフォーマットに変換することと、
前記第２の通信システムで必要とされるフォーマットの認証情報を、前記第２の通信システムに送信することとを備えている。
【請求項２】
請求項１に記載の方法において、前記第１の通信システムはＣＤＭＡシステムである。
【請求項３】
請求項２に記載の方法において、前記ＣＤＭＡシステムはＣＤＭＡ２０００−１ｘＥＶＤＯである。
【請求項４】
請求項２に記載の方法において、前記第２の通信システムはＧＳＭシステムである。
【請求項５】
第１の通信システムからの認証情報を、第２の、異なる通信システムにおける対応するメッセージへ変換する装置であって、前記装置は、
前記第１の通信システムによって必要とされるフォーマットを有する認証情報を受信するように構成された入力と、
前記入力に接続され、前記第１の通信システムのフォーマットからの認証情報を、前記第２の通信システムによって必要とされるフォーマットに変換するように構成された変換器と、
前記変換器に接続され、前記第２の通信システムによって必要とされるフォーマットの認証情報を送るように構成された送信器とを備える。
【請求項６】
請求項４に記載の装置において、前記第１の通信システムはＣＤＭＡシステムである。
【請求項７】
請求項６に記載の装置において、前記ＣＤＭＡシステムはＣＤＭＡ２０００−１ｘＥＶＤＯである。
【請求項８】
請求項５に記載の装置において、前記第２の通信システムはＧＳＭシステムである。
【請求項９】
第１の通信システムから、第２の、異なる携帯システムにおける対応するメッセージへショートメッセージサービス（ＳＭＳ）情報をマップする装置であって、前記方法は、
前記第１の通信システムによって必要とされるフォーマットを持つ認証情報を受信する手段と、
前記認証情報を、前記第２の通信システムによって必要とされるフォーマットに変換する手段と、
認証情報を、前記第２の通信システムによって必要とされるフォーマットの前記第２の通信システムに送信する手段とを備えている。
【請求項１０】
請求項８に記載の装置において、前記第１の通信システムはＣＤＭＡシステムである。
【請求項１１】
請求項１０に記載の装置において、前記ＣＤＭＡシステムはＣＤＭＡ２０００−１ｘＥＶＤＯである。
【請求項１２】
請求項９に記載の移動局において、前記第２の通信システムはＧＳＭシステムである。
【請求項１３】
無線通信システムにおいて、移動局を認証する方法であって、前記方法は、
第１のＣＨＡＰチャレンジメッセージを送信することと、
第１のＣＨＡＰ応答メッセージを受信することと、
前記受信したＣＨＡＰメッセージに対応するＩＭＳＩメッセージを送信することと、
前記送信したＩＭＳＩメッセージに応答して複数のパラメータを受信することと、
少なくとも１つのパラメータを送信することと、
前記送信したパラメータに応答して第２のＣＨＡＰ応答メッセージを受信することと、
前記第２のＣＨＡＰ応答メッセージを、前記複数のパラメータのうちの１つと比較することとを備える。
【請求項１４】
請求項１３に記載の方法において、前記複数のパラメータは、暗号鍵、ＳＲＥＳメッセージ、及びＲＡＮＤメッセージを備える。
【請求項１５】
請求項１４に記載の方法において、前記比較するステップは、前記第２のＣＨＡＰ応答メッセージを前記ＳＲＥＳメッセージと比較することを備える。
【請求項１６】
請求項１３に記載の方法において、もしも前記第２のＣＨＡＰ応答メッセージが、前記複数のパラメータのうちの１つと一致するならば受諾メッセージを送信することを更に備える。
【請求項１７】
無線通信システムにおいて、移動局を認証する装置であって、前記方法は、
第１のＣＨＡＰチャレンジメッセージを送信する手段と、
第１のＣＨＡＰ応答メッセージを受信する手段と、
前記受信したＣＨＡＰメッセージに対応するＩＭＳＩメッセージを送信する手段と、
前記送信したＩＭＳＩメッセージに応答して複数のパラメータを受信する手段と、
少なくとも１つのパラメータを送信する手段と、
前記送信したパラメータに応答して第２のＣＨＡＰ応答メッセージを受信する手段と、
前記第２のＣＨＡＰ応答メッセージを、前記複数のパラメータのうちの１つと比較する手段とを備える。
【請求項１８】
請求項１７に記載の装置において、前記複数のパラメータは、暗号鍵、ＳＲＥＳメッセージ、及びＲＡＮＤメッセージを備える。
【請求項１９】
請求項１８に記載の装置において、前記比較する手段は、前記第２のＣＨＡＰ応答メッセージを前記ＳＲＥＳメッセージと比較することを備える。
【請求項２０】
請求項１７に記載の装置において、もしも前記第２のＣＨＡＰ応答メッセージが、前記複数のパラメータのうちの１つと一致するならば受諾メッセージを送信する手段を更に備える。
【発明の詳細な説明】
【技術分野】
【０００１】
本発明は一般に無線通信に関し、更に詳しくは、マルチ携帯通信環境における認証に作用する方法及び装置に関する。
【背景技術】
【０００２】
いわゆるコード分割多元アクセス（ＣＤＭＡ）変調は、多数のシステムユーザが存在する通信を容易にする幾つかの技術のうちの１つである。時分割多元アクセス（ＴＤＭＡ）、周波数分割多元アクセス（ＦＤＭＡ）、及び振幅圧伸単１側波帯（ＡＣＳＳＢ：amplitude companded single sideband）といった振幅変調スキームのような他の技術もまた利用可能であるが、ＣＤＭＡは、これら他の変調技術に対して、優位な利点を持っている。多元アクセス通信システムにおけるＣＤＭＡ技術の使用は、本出願の譲受人に譲渡され、ここで本願に引用して援用されている「Spread Spectrum Multiple Access Communication System Using Satellite Or Terrestrial Repeaters」と題された米国特許第４，９０１，３０７号（特許文献１）において開示されている。
【０００３】
米国特許第４，９０１，３０７号（特許文献１）では、各々トランシーバを持った多数の移動電話システムユーザが、コード分割多元アクセス（ＣＤＭＡ）拡散スペクトル通信信号を使い、衛星リピータ又は地上基地局（セル基地局、又はセルサイトとしても知られている）を介して通信する多元アクセス技術が開示されている。ＣＤＭＡ通信を用いる場合、周波数スペクトルは何度も再利用することができる。これによって、システムユーザ能力の増大を可能にする。ＣＤＭＡ技術を用いることによって、他の多元アクセス技術を用いて達成できるよりも、より高いスペクトル効率を得ることができるという結果になる。
【０００４】
従来の携帯電話システムでは、アナログＦＭ変調技術が使用されているが、利用可能な周波数帯域は、１般に帯域幅３０ＫＨｚのチャネルに分割される。このシステムサービスエリアは、地理的に可変サイズのセルに分割される。利用可能な周波数チャネルは、通常は、おのおの等しいチャネル数を含むセットに分割される。この周波数セットは、チャネル間の干渉の可能性を最小にするように、セルに割り当てられる。例えば、７つの周波数セットが存在し、セルは、等しいサイズの六角形であるシステムを考える。１つのセルで使用される周波数セットは、そのセルの最も近い、あるいは周りの６つの近隣では使用されない。更に、１つのセルにおける周波数セットは、そのセルの次に近い１２の近隣では使用されない。
【０００５】
より難しい状況は、別のセルシステムからの基地局によってサービスされているセルへの、移動局の移動により現れる。このような「システム間の」ハンドオフにおける複雑な要因は、近隣の携帯システムがしばしば異なった特徴を持っていることである。例えば、隣接する携帯システムは、しばしば異なる周波数で動作し、異なるレベルの基地局出力パワー、すなわちパイロット強度を維持する。更に、隣接する携帯システムは、類似したタイプのメッセージに対してでさえ、異なるメッセージ構造を必要とするかもしれない。
【０００６】
例えば、ＧＳＭ規格は、ＣＤＭＡネットワークへのアクセス認証に作用する直接的な方法を提供していない。したがって、ＧＳＭネットワークで動作する呼出は、ＣＤＭＡネットワークへ直接的に移動することはできない。さらにまた、ＣＤＭＡ２０００メカニズムは、ＧＳＭ認証に必要とされるデータを転送するように設計されていないので、ＧＳＭ認証は実現されない。暗号、メッセージ種類、及びメッセージサイズは、ＧＳＭベースのネットワークでは、ＣＤＭＡベースのネットワークとは異なっている。
【０００７】
２つの通信ネットワーク間の認証の１つの方法は、例えばＣＤＭＡシステムのような非ＧＳＭシステムの特徴に作用することができるようにＧＳＭを変更することである。しかしながら、ＣＤＭＡ、ＧＳＭともに比較的良く確立されたシステムであり、オペレータ及び機器プロバイダは、近隣の互換性の無いシステムに適合させるために既存の機器に対する高価な変更を行うことに乗り気ではない。もしもデュアルモード移動局をサポートするために、空気インタフェースに新たなメッセージが追加されれば、変更は、これら新たなメッセージをサポートするようになされねばならない。これは明らかに、オペレータ及び機器プロバイダの観点から、望ましくない形態である。
【０００８】
したがって、必要なことは、異なる通信システム間の移動局の認証を可能とする方法とメカニズムである。
【特許文献１】米国特許第４，９０１，３０７号
【特許文献２】米国特許仮出願第６０／３７４，９４４号
【特許文献３】米国特許仮出願第６０／３５０，８２９号
【特許文献４】米国特許仮出願第６０／３５４，０８６号
【特許文献５】米国特許出願第１０，０７６，８３１号
【特許文献６】米国特許仮出願第６０／３４０，３５６号
【特許文献７】米国特許出願第１０／０７７，５５６号
【特許文献８】米国特許出願第０９／７７７，８３１号
【発明の開示】
【０００９】
本発明は、上述した問題に対処する。
【００１０】
インターワーキングノードが生成される。これは、ＣＤＭＡネットワーク（又は好適にはＣＤＭＡ２００１ｘＥＶＤＯシステム）に対してＲＡＮ−ＡＡＡのように動作し、ＧＳＭ／ＧＰＲＳコアネットワークに対してＭＳＣのように動作する。アクセス認証のために、インターワーキングノードは、ＣＤＭＡネットワークに対して、既存のＣＨＡＰ／ＡＡＡメッセージを使用し、ＧＳＭコアネットワーク／ホームロケーションレジスタ（ＨＬＲ）に対してＧＳＭ−ＭＡＰメッセージを使用する。そのようなものとして、本装置及び方法は、ＧＰＲＳコアネットワークの利益を維持し、ＣＤＭＡシステムにおける何らの変更も必要とせずに、標準的なＧＳＭ／ＧＰＲＳシステムよりも優れた能力とデータパケット速度とを提供する。
【００１１】
本発明の第１の局面によれば、第１の通信システムから、第２の、異なる通信システムにおける対応するメッセージへの情報を認証する方法が提供される。ここで各通信システムは、対応するコアネットワークを有している。この方法は、前記第１の通信システムによって必要とされるフォーマットの認証情報を受信することと、前記第１の通信システムで必要とされるフォーマットからの認証情報を、前記第２の通信システムによって必要とされるフォーマットに変換することと、前記第２の通信システムで必要とされるフォーマットの認証情報を、前記第２の通信システムのコアネットワークに送信することとを備えている。
【００１２】
本発明の上述した、及び更なる特徴は、特許請求の範囲における詳細と共に記述されており、その利点と共に、後述するように、添付図面を参照して与えられた本発明の典型的な実施例の詳細記載の検討からより明らかになるであろう。
【発明を実施するための最良の形態】
【００１３】
本出願は、２００２年４月２２日に出願され、継続中である米国特許仮出願第６０／３７４，９４４号（特許文献２）の優先権を主張する。この出願は、参照によりここに含まれる。
【００１４】
図１は、典型的な携帯電話システム１００の概要図である。ここに図示されたシステムは、一般に多数のシステム移動局すなわち移動電話と、基地局との間の通信を容易にするための様々な多元アクセス変調技術のうちの何れかを使用しうる。そのような多元アクセス通信システム技術は、時分割多元アクセス（ＴＤＭＡ）、グローバル・システム・フォー・モバイル・コミュニケーションズ（ＧＳＭ）、汎用パケット無線サービス（ＧＰＲＳ：General Packet Radio Service）、高速回線交換データシステム（ｉＤＥＮ：High Speed Circuit Switched Data）、周波数分割多元アクセス（ＦＤＭＡ）、コード分割多元アクセス（ＣＤＭＡ）、ＴＳコード分割多元アクセス（ＴＳＣＤＭＡ）、直交周波数分割多重（ＯＦＤＭ）、及び振幅圧伸単一側波帯のような振幅変調スキームを含む。
【００１５】
説明の目的のために、図１は、通信システムを、ＣＤＭＡベースのシステムと、ＧＳＭベースのシステムとの組み合わせとして示している。例えば上述した通信システムのような、任意の２つの通信システムが適用されうるものと理解されたい。
【００１６】
移動局１０４は、加入者識別モジュール１０６を持つＧＳＭ／ＧＰＲＳデバイスを例示している。移動局１０８は、加入者識別モジュール１１０を持つＧＳＭ／ＣＤＭＡ２００１ｘデバイスを例示している。移動局１０８には、伝統的なＧＳＭ又はＣＤＭＡ移動局からのソフトウェア及び／又はハードウェア変更が備えられており、このデバイスが、ＧＳＭとＣＤＭＡとの両方のインフラストラクチャと相互作用するようにしている。移動局１１２は、加入者識別モジュール１１４を持つＣＤＭＡ２０００ｘデバイスを例示している。
【００１７】
移動局１０４，１０８，１１２は、例えば移動電話、ＰＤＡ、コンピュータ、又は音声又はデータ情報の無線通信が可能なその他の無線デバイスのような無線通信デバイスである。ＳＩＭカード１０６，１１０，１１４は、ＣＤＭＡ２０００１ｘＥＶＤＯユーザ端末で動作し、ＣＤＭＡ及びＧＳＭ両方の携帯システム内で、基地局からの信号の受信及びそれへの応答が可能な標準的なＧＳＭ  ＳＩＭカードでありうる。ＣＤＭＡ  １ｘハンドセットに統合されたＧＳＭ  ＳＩＭカード１０８は、２００２年１月１７日に出願された米国特許仮出願第６０／３５０，８２９号（特許文献３）、及び２００２年２月１日に出願された米国特許仮出願第６０／３５４，０８６号（特許文献４）で論じられている。これら両文献は、２００２年２月１４日に出願された米国特許出願第１０，０７６，８３１号（特許文献５）に切り換えられ、ここで参考文献として特別に同封されている。ＳＩＭカード１０６，１１０，１１４は、また、一つ以上の無線システムで動作するように構成された特別なＳＩＭカードでありうる。
【００１８】
移動局１０４は、無線アクセスネットワーク（ＲＡＮ）１１６と通信可能に接続されている。ある実施例では、ＲＡＮ１１６は、標準的なＧＳＭ又はＧＳＭ／ＧＰＲＳ  ＲＡＮであり、標準的なＧＳＭベースの基地トランシーバサブシステム（ＢＴＳ）と、標準的なＧＳＭ基地局コントローラ（ＢＳＣ）（図示せず）とを備えている。
【００１９】
移動局１０８，１１２は、無線アクセスネットワーク（ＲＡＮ）１２０と通信可能に接続されている。移動局１０８は、ＲＡＮ１１６及びＲＡＮ１２０の両方と通信可能に接続されている。ある実施例では、ＲＡＮ１２０は、２００１年１２月１４日に出願された米国特許仮出願第６０／３４０，３５６号（特許文献６）に記載されたように、ＣＤＭＡ  １ｘ  ＲＡＮである。この仮出願は、２００１年２月１４日に出願された米国特許出願第１０／０７７，５５６号（特許文献７）に切り換えられ、本発明と同一の譲受人に譲渡され、ここで参考文献として特別に同封される。ＲＡＮ１２０は、標準的なＣＤＭＡ２０００又はＣＤＭＡ２０００  １ｘ  ＲＡＮであって、標準的なＣＤＭＡベースの基地トランシーバサブシステム（ＢＴＳ）と、標準的なＣＤＭＡベースの基地局コントローラ（ＢＳＣ）（図示せず）とを備えている。
【００２０】
ＧＳＭ  ＲＡＮ１１６は、Ａインタフェース１２８を介してＧＳＭ  ＳＭＳＣ／ＳＧＳＮ１２４に接続されている。ＧＳＭ  ＳＭＳＣ／ＳＧＳＮ１２４は、ＭＡＰ、ＩＳＵＰ、及びＧＴＰインタフェースとプロトコルを用いて、ＧＳＭ切換ネットワーク１３６に接続されている。
【００２１】
ＣＤＭＡ  ＲＡＮ１２０は、標準的なＩＯ５４インタフェース／プロトコル１３６を介して、ＧＳＭ１ｘ移動切換ノード（ＭＳＮ）１３２に接続されている。ＭＳＮ１３２は好適には、ＲＡＮ１２０とＧＳＭ切換ネットワーク１３６との両方に接続されたハイブリッドＭＳＮである。ＧＳＭ切換ネットワーク１３６は、ＧＳＭサービスネットワーク１４０の残りに接続されている。ＭＳＮ１３２は、ある携帯通信システムにおけるフォーマット及び構成と推定されるメッセージを、第２の携帯通信システムにおけるフォーマット及び構成にマップすることによって、ＲＡＮ１２０とＧＳＭサービスネットワーク１４０との両方と通信することができる。例えば、もしもある通信システムがＧＳＭシステムであり、第２の通信システムがＣＤＭＡ２０００−１ｘシステムであれば、ハイブリッドＭＳＮ１３２は、ＧＳＭシステムで知られた構成及びフォーマットから、ＣＤＭＡ１ｘシステム等で知られたものにマップする。
【００２２】
異なる通信システム間の認証は、２００１年１月３１に出願された米国特許出願第０９／７７７，８３１号（特許文献８）に記載されている。これは、本願と同一の譲受人に譲渡されており、ここで特別に同符されている。
【００２３】
図２は、ＣＤＭＡベースのユーザ端末とＧＳＭシステムとの間の認証を可能にする認証装置５００を示す。特に、図２は、加入者識別モジュール（ＳＩＭ）５０４と、アクセス端末（ＡＴ）５０８と、ネットワークキャリア５１２と、ＧＳＭ１ｘＭＳＮ５１６と、ホームキャリアのネットワーク５２０との間の相互作用を示す。
【００２４】
まず、ユーザ端末５０８とサービングキャリアネットワーク５１２との間の接続を確立する場合には、リンク制御プロトコル（ＬＣＰ）５２４がネゴシエートされる。一般に、ＬＣＰネゴシエーションは、標準的なＰＰＰプロトコルの一部である。接続が確立すると、実質的に乱数からなるＣＨＡＰチャレンジ５２８が、サービングキャリアネットワーク５１２からアクセス端末５０８及び／又はそれに対応するＳＩＭ５０４へと送られる。このＣＨＡＰチャレンジは、サービングキャリアネットワーク５１２から発する。ＣＨＡＰチャレンジ５２８を受信すると、ＳＩＭ５０４は、受信したチャレンジ（ＲＡＮＤ５３２）をその秘密鍵（Ｋｉ）５３６と組み合わせ、アルゴリズム５４０（Ａ３）を通じてこれら２つの値を使用し、出力ＳＲＥＳ５４４を生成する。その後、ＳＲＥＳ５４４は、サービングキャリアネットワーク５１２へと送信される。
【００２５】
すると、サービングキャリアネットワーク５１２は、秘密鍵５３６を確認し、アクセス端末のインターナショナル（ＩＭＳＩ）５４８をＧＳＭ１ｘＭＳＮ５１６を介してホームキャリアネットワーク５２０に送信する。ＩＭＳＩ５４８を受信すると、ホームキャリアネットワーク５２０は、Ｋｃ（暗号鍵）、ＳＲＥＳ、及び乱数ＲＡＮＤを備えたパラメータ５５２をＧＳＭ１ｘＭＳＮ５１６を介してサービングキャリアネットワーク５１２に送る。その後、サービングキャリアネットワーク５１２は、ホームキャリアネットワーク５２０から受信したＲＡＮＤを用いてＣＨＡＰチャレンジ５５６を形成する。このＣＨＡＰチャレンジ５５６は、その後、アクセス端末５０８及び／又はそれに対応するＳＩＭ５０４に送信され、上述したような同様の処理を行う。すなわち、 ＣＨＡＰチャレンジ５５６を受信すると、ＳＩＭ５０４は、受信したチャレンジ（ＲＡＮＤ５６０）をその秘密鍵（Ｋｉ）５６４と組み合わせ、アルゴリズム５６８（Ａ３）を通じてこれら２つの値を使用し、出力ＳＲＥＳ５７２を生成する。その後、ＳＲＥＳ５７２は、サービングキャリアネットワーク５１２へと送信される。ＳＲＥＳ５７２はその後ＧＳＭ１ｘＭＳＮ５１６に送信される。ここで、ホームキャリアネットワーク５２０から受信されたＳＲＥＳが、アクセス端末５０８から受信されたＳＲＥＳと比較される。もしもそれらが一致すれば（５７６）、認証が受諾され、一致しなければ拒否される（５８０）。そして、成功／失敗メッセージ５８４が、アクセス端末５０８に送信される。
【００２６】
従って、通信システム間のユーザ端末の認証のための斬新でかつ改良された方法及び装置が記載された。当業者であれば、これら情報および信号が、種々異なった技術や技法を用いて表されることを理解するであろう。例えば、上述した記載で引用されているデータ、指示、命令、情報、信号、ビット、シンボル、およびチップは、電圧、電流、電磁波、磁場または磁性粒子、光学場または光学微粒子、あるいはこれら何れかの結合によって表現されうる。
【００２７】
これらの知識によって、ここで開示された実施例に関連する様々に例示された論理ブロック、モジュール、回路、およびアルゴリズムステップが、電子工学ハードウェア、コンピュータソフトウェア、あるいはこれらの組み合わせとして適用されることが更に理解されよう。ハードウェアとソフトウェアとの相互互換性を明確に説明するために、様々に例示された部品、ブロック、モジュール、回路、およびステップが、それらの機能に関して一般的に記述された。それら機能がハードウェアとしてあるいはソフトウェアとして適用されているかは、特有の応用例および全体システムに課せられている設計条件による。熟練した技術者であれば、各特定のアプリケーションに応じて変更することによって上述した機能を実施しうる。しかしながら、この適用判断は、本発明の範囲から逸脱したものと解釈すべきではない。
【００２８】
様々に示された論理ブロック、モジュール、および上述された実施例に関連して記載された回路もまた実装され、汎用プロセッサ、デジタル信号プロセッサ（ＤＳＰ）、アプリケーションに固有の集積回路（ＡＳＩＣ）、フィールドプログラマブルゲートアレイ（ＦＰＧＡ）またはその他のプログラマブル論理デバイス、ディスクリートゲートあるいはトランジスタ論理、ディスクリートハードウェア部品、あるいは上述された機能を実現するために設計された何れかの組み合わせとともに実行されうる。汎用プロセッサとしてマイクロプロセッサを用いることが可能であるが、代わりに、従来技術によるプロセッサ、コントローラ、マイクロコントローラ、あるいは状態機器を用いることも可能である。プロセッサは、たとえばＤＳＰとマイクロプロセッサとの組み合わせ、複数のマイクロプロセッサ、ＤＳＰコアに接続された１つ以上のマイクロプロセッサ、またはその他の配置のような計算デバイスの組み合わせとして実装することも可能である。
【００２９】
ここで開示された実施例に関連して記述された方法やアルゴリズムのステップは、ハードウェアや、プロセッサによって実行されるソフトウェアモジュールや、これらの組み合わせによって直接的に具現化される。ソフトウェアモジュールは、ＲＡＭ、フラッシュメモリ、ＲＯＭ、ＥＰＲＯＭ、ＥＥＰＲＯＭ、レジスタ、ハードディスク、リムーバブルディスク、ＣＤ−ＲＯＭ、あるいは当該技術分野で知られているその他の型式の記憶媒体に収納されうる。好適な記憶媒体は、プロセッサがそこから情報を読み取り、またそこに情報を書き込むことができるようにプロセッサに結合される。または、記憶媒体はプロセッサに不可欠となりうる。このプロセッサと記憶媒体は、ＡＳＩＣに収納することができる。ＡＳＩＣは、ユーザ端末内に収納することもできる。または、このプロセッサと記憶媒体が、ユーザ端末におけるディスクリートな部品として収納されることもある。
【００３０】
開示された実施例における上述の記載は、いかなる当業者であっても、本発明の活用または利用を可能とするようになされている。これらの実施例への様々な変形例もまた、当業者に対しては明らかであって、ここで定義された一般的な原理は、本発明の主旨または範囲を逸脱しない他の実施例にも適用されうる。このように、本発明は、上記で示された実施例に制限されるものではなく、ここで記載された原理と新規の特徴に一致した広い範囲に相当するものを意図している。
【図面の簡単な説明】
【００３１】
【図１】図１は、ハイブリッド通信システムの概要図である。
【図２】図２は、ＧＳＭ  ＭＡＰへの認証の概要図である。
【符号の説明】
【００３２】
１００…携帯電話システム、１０４…移動局、１０６…加入者識別モジュール、１０８…移動局、１１０…加入者識別モジュール、１１２…移動局、１１４…加入者識別モジュール、１１６…無線アクセスネットワーク、１２０…無線アクセスネットワーク、１２４…ＳＧＳＮ、１２８…Ａインタフェース、１３２…ハイブリッドＭＳＮ、１３６…ＧＳＭ切換ネットワーク、１４０…ＧＳＭサービスネットワーク５００…認証装置、５０４…加入者識別モジュール、５０８…アクセス端末、５１２…サービングキャリアネットワーク、５２０…ホームキャリアネットワーク、５２４…リンク制御プロトコル、５２８…ＣＨＡＰチャレンジ、５３６…秘密鍵、５４０…アルゴリズム、５４４…ＳＲＥＳ、５４８…ＩＭＳＩ、５５２…パラメータ、５５６…ＣＨＡＰチャレンジ、５６４…秘密鍵、５６８…アルゴリズム、５７２…ＳＲＥＳ、５８４…成功／失敗メッセージ
【図１】
2005523670.tif 000003
【図２】
2005523670.tif 000004
【国際調査報告】
2005523670.tif 000005